(57)【要約】【課題】シートカバーを防水保護する意外に他の機能、例えば洗車時におけるエプロンなどにも使用できるようにする。【解決手段】シートカバー本体１を、抗菌性及び防臭・消臭性の防水生地５により形成する。シートカバー本体１を、一人掛け用シートを覆うエプロンタイプに形成し、該シートカバー本体１の本体上部３に上部掛け紐８を設けると共に本体下部４に下部掛け紐９を設ける。シートに臭いが浸透することはなく、上部掛け紐８と下部掛け紐９を利用して簡単にシートに取り付けでき、さらにシートを覆うシートカバーの他に、シートより取り外した状態では洗車時等に使用する防水エプロンとしても使用でき、１枚で２種類の使用方法が可能になる。【選択図】図１
0003138727.tif 000002
【実用新案登録請求の範囲】
【請求項１】
シートカバー本体を、抗菌性又は及び防臭・消臭性の防水生地により形成することを特徴とするシートカバー。
【請求項２】
前記シートカバー本体を一人掛け用シートを覆うエプロンタイプに形成し、該シートカバー本体の上部に上部の掛け紐を設けると共に下部に下部の掛け紐を設けることを特徴とする請求項１記載のシートカバー。
【請求項３】
前記シートカバー本体における前記上部の上部幅を前記下部の下部幅より狭く形成し、前記掛け紐と前記シートカバー本体は着脱可能な連結具を介して連結されたことを特徴とする請求項２記載のシートカバー。
【請求項４】
前記シートカバー本体における前記上部の上部幅を前記下部の下部幅より狭く形成し、前記上部の掛け紐の端部に上部連結具を設けると共に、前記上部に前記上部連結具が着脱自在に連結する上部連結受け具を設け、前記下部の掛け紐の端部に下部連結具を設けると共に、前記下部に前記下部連結具が着脱自在に連結する下部連結受け具を設けたことを特徴とする請求項２記載のシートカバー。
【請求項５】
前記上部連結具、前記上部連結受け具、前記下部連結具及び前記下部連結受け具が、合成樹脂製であることを特徴とする請求項４記載のシートカバー。
【請求項６】
前記掛け紐には長さ調整具が設けられていることを特徴とする請求項２〜５のいずれか１項に記載のシートカバー。
【請求項７】
前記長さ調整具が、合成樹脂製であることを特徴とする請求項６記載のシートカバー。
【請求項８】
前記シートカバー本体の少なくとも下縁側に表面に向けて突起を設けたことを特徴とする請求項１〜７のいずれか１項に記載のシートカバー。
【請求項９】
前記突起は前記生地を折り返して形成したことを特徴とする請求項８記載のシートカバー。
【請求項１０】
前記請求項１〜９のいずれか１項に記載のシートカバー本体と、該シートカバー本体と別体で前記シートのヘッドレストを覆うヘッドレストカバーとを備えたシートカバーにおいて、前記ヘッドレストカバーを、前記ヘッドレストを収納可能な袋状に形成したことを特徴とするシートカバー。
【請求項１１】
前記ヘッドレストカバーは抗菌性又は及び防臭・消臭性の生地により形成され、該ヘッドレストカバーの下部に前記ヘッドレストが挿入可能な下部開口部を形成すると共に、該下部開口部に縮幅用紐を設け、前記ヘッドレストカバーの左右方向に左右部開口部を形成すると共にこれら左右開口部には前後方向を連結する弾性部材が介在していることを特徴とする請求項１０記載のシートカバー。
【考案の詳細な説明】
【技術分野】
【０００１】
本考案は、自動車等のシートに取り付けるシートカバーに関するものである。
【背景技術】
【０００２】
従来、シートカバーはシートに密着してほぼ全体を覆うタイプのものと、シートの座部及び背もたれの前面を覆うエプロンタイプ等が知られている。そして、エプロンタイプにおいては、前席用の一人掛け用シートを覆うものと後席用のベンチ形シートを覆うものに大別される。
【０００３】
このような従来のシートカバーにおいて、汗や汚れがシートの生地に付着しないようにするためにシートカバーの生地に防水性の高い生地を採用したものが知られている。例えば濡れた状態のままで乗員が着座する場合のある車両における、車両のシートに用いられるシートカバーであって、織布にて形成される表皮材と、発泡プラスチック製のシート材とからなるものが知られている（例えば、特許文献１）。
【特許文献１】特開平９−３９７号公報
【考案の開示】
【考案が解決しようとする課題】
【０００４】
しかしながら、このような防水性の生地からなるシートカバーにあっては、防水するものの、汗等の臭いの付着までは防ぐことができなかった。また、従来のシートカバーはシートの取り付け専用としての機能しかなかったので、例えば洗車時の汚れ防止用のエプロン等各種用途には使用することができなかった。
【０００５】
解決しようとする問題点は、シートカバーを防水保護する意外に他の機能、例えば洗車時におけるエプロンなどにも使用できるようにする点である。
【課題を解決するための手段】
【０００６】
請求項１の考案は、シートカバー本体を、抗菌性又は及び防臭・消臭性の防水生地により形成することを特徴とするシートカバーである。
【０００７】
請求項２の考案は、前記シートカバー本体を一人掛け用シートを覆うエプロンタイプに形成し、該シートカバー本体の上部に上部の掛け紐を設けると共に下部に下部の掛け紐を設けることを特徴とする請求項１記載のシートカバーである。
【０００８】
請求項３の考案は、前記シートカバー本体における前記上部の上部幅を前記下部の下部幅より狭く形成し、前記掛け紐と前記シートカバー本体は着脱可能な連結具を介して連結されたことを特徴とする請求項２記載のシートカバーである。
【０００９】
請求項４の考案は、前記シートカバー本体における前記上部の上部幅を前記下部の下部幅より狭く形成し、前記上部の掛け紐の端部に上部連結具を設けると共に、前記上部に前記上部連結具が着脱自在に連結する上部連結受け具を設け、前記下部の掛け紐の端部に下部連結具を設けると共に、前記下部に前記下部連結具が着脱自在に連結する下部連結受け具を設けたことを特徴とする請求項２記載のシートカバーである。
【００１０】
請求項５の考案は、前記上部連結具、前記上部連結受け具、前記下部連結具及び前記下部連結受け具が、合成樹脂製であることを特徴とする請求項４記載のシートカバーである。
【００１１】
請求項６の考案は、前記掛け紐には長さ調整具が設けられていることを特徴とする請求項２〜５のいずれか１項に記載のシートカバーである。
【００１２】
請求項７の考案は、前記長さ調整具が、合成樹脂製であることを特徴とする請求項６記載のシートカバーである。
【００１３】
請求項８の考案は、前記シートカバー本体の少なくとも下縁側に表面に向けて突起を設けたことを特徴とする請求項１〜７のいずれか１項に記載のシートカバーである。
【００１４】
請求項９の考案は、前記突起は前記生地を折り返して形成したことを特徴とする請求項８記載のシートカバーである。
【００１５】
請求項１０の考案は、前記請求項１〜８のいずれか１項に記載のシートカバー本体と、該シートカバー本体と別体で前記シートのヘッドレストを覆うヘッドレストカバーとを備えたシートカバーにおいて、前記ヘッドレストカバーを、前記ヘッドレストを収納可能な袋状に形成したことを特徴とするシートカバーである。
【００１６】
請求項１１の考案は、前記ヘッドレストカバーは抗菌性又は及び防臭・消臭性の生地により形成され、該ヘッドレストカバーの下部に前記ヘッドレストが挿入可能な下部開口部を形成すると共に、該下部開口部に縮幅用紐を設け、前記ヘッドレストカバーの左右方向に左右部開口部を形成すると共にこれら左右開口部には前後方向を連結する弾性部材が介在していることを特徴とする請求項９記載のシートカバーである。
【考案の効果】
【００１７】
請求項１の考案によれば、シートが汗や水分で濡れることがないと共に、臭いなどの発生も抑止され、スポーツ等の後であっても快適な環境を確保することができる。
【００１８】
請求項２の考案によれば、シートより取り外した状態では洗車時等に使用する防水エプロンとしても使用でき、１枚で２種類の使用方法が可能になる。
【００１９】
請求項３の考案によれば、シートを確実に覆うことができると共にエプロンとしても体を確実に覆うことができ、シートにシートカバー本体を取り付けるときやエプロンとして人体に取りつけるときに連結具によって簡単に取り付けできる。
【００２０】
請求項４の考案によれば、シートを確実に覆うことができると共にエプロンとしても体を確実に覆うことができ、シートにシートカバー本体を取り付けるときやエプロンとして人体に取りつけるときに上部連結具と上部連結受け具、下部連結具と下部連結受け具によって簡単に取り付けできる
請求項５の考案によれば、上部連結具などが汗や水分で錆びたりすることはない。
【００２１】
請求項６の考案によれば、掛け紐の長さ調整をワンタッチで行うことができる
請求項７の考案によれば、長さ調整具が汗や水分で錆びたりすることはない。
【００２２】
請求項８の考案によれば、汗や水分を突起によって受け止めることができる。
【００２３】
請求項９の考案によれば、前記突起を簡単に設けることができる。
【００２４】
請求項１０の考案によれば、シートカバー本体をヘッドレストカバーに収納することにより、シートカバー本体の汚れが他に移ることなく保管できる。
【００２５】
請求項１１の考案によれば、ヘッドレストカバーをヘッドレストに密着でき、一方ヘッドレストカバーをシートカバー本体等の収納袋として使用するときには多めに収納することができる。
【考案を実施するための最良の形態】
【００２６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２７】
図１〜６は実施例１を示しており、シートカバーはシートカバー本体１と、該シートカバー本体１と別体のヘッドレストカバー２からなる。シートカバー本体１は、抗菌性及び防臭・消臭性の防水生地５により形成されるものであって、その形状は本体上部３が一人掛け用シートの背もたれＡの前面を覆い、本体下部４が座部Ｂを覆うエプロンタイプに形成されている。この生地５は表面６を例えばナイロン繊維にセラミック系の抗菌材を練り込んだものを織布或いは不織布としたり、または一体成形によりシート（フィルム）状としたものであり、悪臭のアンモニアや硫黄（硫化水素）臭等を除去できるものである。一方生地５の裏面は例えばポリエステル系の織布或いは不織布としたり、または一体成形によりシート（フィルム）状とした防水性のものである。尚、防水性生地５は抗菌性及び防臭・消臭性ではなく、抗菌性又は防臭・消臭性或いは防臭性、消臭性であてもよい。
【００２８】
さらに、シートカバー本体１における本体上部３の幅Ｘを本体下部４の幅Ｙより狭く形成して一人掛け用シートを覆うエプロンタイプに形成してある。また、シートカバー本体１の縁全周にはシートカバー本体１における表側、裏側の表面６よりもそれぞれ突設する突部７が設けられる。この突部７はシートカバー本体１の縁を挟むように布等によって形成される縁覆い部材により形成されている。
【００２９】
さらに、シートカバー本体１の本体上部３に、紐状或いはバンド状の上部掛け紐８を環状になるように設けると共に、本体下部４に下部掛け紐９を環状になるように設ける。
【００３０】
上部掛け紐８の両端部にはスイベル又はサルカンからなる回転自在の縒り戻し機能を有する上部縒り戻し連結具10を介してフックからなる上部連結具11を設けると共に、本体上部３左右両側に上部連結具11が着脱自在に連結するＤリング等の上部連結受け具12を固定している。また上部掛け紐８の長さ方向の途中には上部長さ調整具13が介在している。
【００３１】
下部掛け紐９の両端部には、スイベル又はサルカンからなる回転自在の縒り戻し機能を有する下部縒り戻し連結具14を介してフックからなる下部連結具15を設けると共に、本体下部４左右両側に下部連結具15が着脱自在に連結する下部連結受け具16を固定している。また下部掛け紐９の長さ方向の途中には下部長さ調整具17が介在している。
【００３２】
尚、前記上部縒り戻し連結具10、上部連結具11、上部連結受け具12、上部長さ調整具13、下部縒り戻し連結具14、下部連結具15、下部長さ調整具17はいずれも合成樹脂により形成されている。
【００３３】
ヘッドレストＣ（枕部）を覆うヘッドレストカバー２は、抗菌性及び防臭・消臭性の生地により形成したものである。ヘッドレストカバー２はシートカバー本体１を収納可能な略四角形の袋状であって、その四方のうちの上下方向の下方に前記シートのヘッドレストＣが挿入可能な下部開口部18を形成すると共に、該下部開口部18の周囲に紐、バンド状の縮幅用紐19を設け、前記ヘッドレストカバー２の四方のうちの左右方向の二方に左部開口部20，右部開口部21を設けている。
【００３４】
そして、縮幅用紐19は下部開口部18の縁に沿って折り返して形成された縁孔22に挿入されたものであって、その端部を縁孔22より外側にあらわすと共に、該箇所に縮幅用紐19の長さ調整具23を装着したものである。
【００３５】
さらにヘッドレストカバー２本体の左部開口部20，右部開口部21にはゴム帯やゴム紐からなる弾性部材24をそれぞれ装着している。この弾性部材24の一端24Ａは左部開口部20，右部開口部21の前部に連結すると共に、他端24Ｂは左部開口部20，右部開口部21の後部に連結している。
【００３６】
次に前記構成についてその作用を説明する。シートカバー本体１をシートに装着するには、上部掛け紐８をヘッドレストＣ越しに回した状態で本体上部３を背もたれ部Ａに当てると共に、本体下部４を座部Ｂに敷く。この際には抗菌性及び防臭・消臭性の生地５側を上側にあらわすように取り付ける。次に予め一方の下部連結受け具16から一方の下部連結受け具16を外しておいた下部掛け紐９を背もたれ部Ａの後ろ側からまわしてその一方の下部連結受け具16を一方の下部連結受け具16に掛け止めする。次に上部長さ調整具13及び下部長さ調整具17をそれぞれ長さ調整することで、上部掛け紐８と下部掛け紐９とをきつく締めてシートカバー本体１をシートに固定する。その際、背もたれ部Ａと座部Ｂをならして座ったときに違和感がないようにしておく。尚、幅の広いシートやベンチシートの場合は、下部掛け紐９を用いないで使用することもできると共に、アウトドア時に一人用の上敷きシートとしてシートカバー本体１を利用することもできる。
【００３７】
ヘッドレストカバー２をヘッドレストＣに装着するには、まず下部開口部18を広げてそこからヘッドレストカバー２本体をヘッドレストＣに被せる。そして、縮幅用紐19を外側に引いて下部開口部18の開口幅を狭めると共に、縮幅用紐19の長さが伸びないように長さ調整具23により固定する。この状態で弾性部材24が伸びることで、その弾性力によってヘッドレストカバー２本体がヘッドレストＣに対して緊締状態となって固定することができる。
【００３８】
したがって、汗のある状態や汚れた状態でシートカバー本体１に座っても、水分や汚れがシートカバー本体１を通過することはなく、シートが汚れることを防止することができる。また、水分や汚れが落差によって本体上部３から本体下部４にしたたり落ちたとしても、シートカバー本体１の下縁に突部７が形成されてあるので、水分や汚れの流出はこれによって阻止され、汗や汚れが溢れ出るようなことはなくなる。
【００３９】
また、シートカバー本体１に汗や汚れが付着しても、シートカバー本体１は抗菌性及び防臭・消臭性を有することによって、汗や汚れによりシートや車内が汚れるようなことはない。
【００４０】
一方、洗車などの掃除や作業を行うときにエプロンとしてシートカバー本体１を使用するときには、まず下部連結具15、上部連結具11を下部連結受け具16、上部連結受け具12より外して上部掛け紐８、下部掛け紐９による拘束を解いてシートカバー本体１をシートより取り外し、そして、上部掛け紐８を首に掛けると共に、下部掛け紐９を腰周りにまわし、さらに上部長さ調整具13、下部長さ調整具17により長さ調整を行って身体に装着して洗車などの作業を行うものである。
【００４１】
尚、水濡れしたり、或いは汚れたシートカバー本体１を、例えば上部掛け紐８、下部掛け紐９を外して洗濯ネットに収納した状態で洗濯するために片付ける場合には、シートカバー本体１を折り畳んで、これを下部開口部18からヘッドレストカバー２に収納することで、汚れが外にあらわれない状態で保管することができる。この際、汗汚れの衣類もシートカバー本体１と共にヘッドレストカバー２に収納することで、衣類の臭いもシートカバー本体１により抗菌性及び防臭・消臭性によって防ぐことができる。洗濯は日干し或いは上部掛け紐８、下部掛け紐９を外して洗濯ネットにシートカバー本体１収納した状態で行い、乾燥させるものである。
【００４２】
以上のように、前記実施例では請求項１に対応して、シートカバー本体１を、抗菌性及び防臭・消臭性の防水生地５により形成することにより、雨で濡れたままでも雪だらけの時でも、防水性なのでシートが濡れることはなく、さらにシートカバー本体１自体が消臭機能を持っているので、激しいスポーツ等大汗のまま乗車してもシートに臭いが浸透することはなく、また生地５自体が抗菌性及び防臭・消臭性であるのでメンテナンスフリーとなる。しかも、シートカバー本体１は生地５によって形成されるので軽量であり、洗濯も簡単に行うことができる。
【００４３】
前記実施例では請求項２に対応して、シートカバー本体１を、一人掛け用シートを覆うエプロンタイプに形成し、該シートカバー本体１の本体上部３に上部掛け紐８を設けると共に本体下部４に下部掛け紐９を設けることにより、上部掛け紐８と下部掛け紐９を利用して簡単にシートに取り付けでき、さらにシートを覆うシートカバーの他に、シートより取り外した状態では洗車時等に使用する防水エプロンとしても使用でき、１枚で２種類の使用方法が可能になる。
【００４４】
前記実施例では請求項３に対応して、シートカバー本体１における本体上部３の幅Ｘを前記本体下部４の幅Ｙより狭く形成し、上部掛け紐８、下部掛け紐９とシートカバー本体１は着脱可能な上部連結具11、下部連結具15を介して連結されたことで、幅の狭い背もたれ部Ａに本体上部３が配置されると共に幅の広い座部Ｂに本体下部４が配置されるので、シートを確実に覆うことができると共にエプロンとして体を確実に覆うことができ、さらに上部連結具11、下部連結具15によって、上部掛け紐８、下部掛け紐９を着脱自在としたことで、シートにシートカバー本体１を取り付けるときやエプロンとして人体に取りつけるときに簡単な作業で取り付けを行うことができる。
【００４５】
前記実施例では請求項４に対応して、前述のようにシートやエプロンとして体を確実に覆うことができ、さらに前記本体上部３の上部掛け紐８の端部に上部連結具11を設けると共に、前記本体上部３に前記上部連結具11が着脱自在に連結する上部連結受け具12を設け、前記本体下部４の下部掛け紐９の端部に下部連結具15を設けると共に、本体下部４に前記下部連結具15が着脱自在に連結する下部連結受け具16を設けたことにより、上部連結具11と上部連結受け具12、下部連結具15と下部連結受け具16によって、上部掛け紐８、下部掛け紐９を着脱自在としたことで、シートにシートカバー本体１を取り付けるときやエプロンとして人体に取りつけるときに簡単な作業で取り付けを行うことができる。
【００４６】
前記実施例では請求項５に対応して、前記上部連結具11、前記上部連結受け具12、前記下部連結具15及び前記下部連結受け具16が、合成樹脂製であることにより、汗や水分で錆びたりすることはない。
【００４７】
前記実施例では請求項６に対応して、前記上部掛け紐８、下部掛け紐９には上部長さ調整具13、下部長さ調整具17が設けられていることにより、それぞれの長さ調整をワンタッチで行うことができる。
【００４８】
前記実施例では請求項７に対応して、前記上部長さ調整具13、下部長さ調整具17が、合成樹脂製であることにより、汗や水分で錆びたりすることはない。
【００４９】
前記実施例では請求項８に対応して、前記シートカバー本体１の少なくとも下縁側に表面６に向けて突部７を設けたことにより、本体上部３から本体下部４に流れ落ちてくる汗や水分を突部７によって受け止めるので、汗等が落下せず床などを汚さずに済む。
【００５０】
前記実施例では請求項１０に対応して、シートカバー本体１と、該シートカバー本体１と別体で前記シートのヘッドレストＣを覆うヘッドレストカバー２とを備えたシートカバーにおいて、前記ヘッドレストカバー２本体を、ヘッドレストＣを収納可能な袋状に形成したことにより、シートカバー本体１が汚れたときにはこれを下部開口部18よりヘッドレストカバー２に収納して保管することにより、シートカバー本体１の汚れが他に移ることなく保管をすることができる。
【００５１】
前記実施例では請求項１１に対応して、前記ヘッドレストカバー２本体はシートカバー本体１と同様に抗菌性又は及び防臭・消臭性の生地により形成され、該ヘッドレストカバー２の下部に前記ヘッドレストＣが挿入可能な下部開口部18を形成すると共に、該下部開口部18に縮幅用紐19を設け、前記ヘッドレストカバー２の左右方向に左部開口部20，右部開口部21を形成すると共にこれらには前後方向を連結する弾性部材24が介在していることにより、ヘッドレストカバー２においても、抗菌又は及び防臭・消臭がなされ、さらにヘッドレストＣに装着したときには弾性部材24の弾性力はヘッドレストカバー２をヘッドレストＣに密着でき、一方ヘッドレストカバー２をシートカバー本体１等の収納袋として使用するときには袋形状の膨らみを可能にして多少多めに収納することができる。
【実施例２】
【００５２】
図７は実施例２を示しており、前記実施例１と同一部分には同一符号を付し、その詳細な説明を省略する。実施例２においては、生地５の全周の縁を一方の表面６側に折り返して表面６に向けて突部７´を設けたものである。
【００５３】
したがって、本体上部３から本体下部４に流れ落ちてくる汗や水分を突部７´によって受け止めるので、汗等が落下せず床などを汚さずに済み、請求項９に対応してまた突部７´は生地５の縁を折り返して形成することで簡単に設けることができる。
【産業上の利用可能性】
【００５４】
以上のように本考案にかかるシートカバーは、各種の用途に適用できる。
【図面の簡単な説明】
【００５５】
【図１】本考案の実施例１を示す一部を拡大断面とした分解斜視図である。
【図２】同全体平面図である。
【図３】同シートに取り付けた状態の前側の斜視図である。
【図４】同シートに取り付けた状態の後側の斜視図である。
【図５】同エプロンとして使用した正面図である。
【図６】同ヘッドレストカバーを袋として使用した状態での斜視図である。
【図７】本考案の実施例２を示す一部を拡大断面とした分解斜視図である。
【符号の説明】
【００５６】
１  シートカバー本体
３  本体上部
４  本体下部
５  生地
７  ７´  突部
８  上部掛け紐
９  下部掛け紐
11  上部連結具
12  上部連結受け具
13  上部長さ調整具
15  下部連結具
16  下部連結受け具
17  下部長さ調整具
18  下部開口部
19  縮幅用紐
20  左部開口部
21  右部開口部
24  弾性部材
Ａ  背もたれ部
Ｂ  座部
Ｃ  ヘッドレスト
Ｘ  幅
Ｙ  幅
【図１】
0003138727.tif 000003
【図２】
0003138727.tif 000004
【図３】
0003138727.tif 000005
【図４】
0003138727.tif 000006
【図５】
0003138727.tif 000007
【図６】
0003138727.tif 000008
【図７】
0003138727.tif 000009